(57)【特許請求の範囲】
【請求項１】
重ね合わされたシート材の端部同士が所定幅で接続されて被収容物を収容する内部空間が形成され、前記シート材の端部同士が接続された接続領域の所定位置に開封起点となる開封補助手段が設けられた包装袋において、前記開封補助手段は、多数の孔で構成された多孔群と、該多孔群内のみに形成されて前記接続領域を貫通する切込みとを備え、前記多孔群は、接続領域の外縁を含む所定範囲内に設けられ、前記切込みは、接続領域の外縁側を基端にして内部空間側に向けて延びる第一切込部と、該第一切込部の延びる方向及びシート材の切断方向のそれぞれに対して交差する方向に延びる第二切込部とで構成され、第一切込部が第二切込部の途中位置に接続されていることを特徴とする包装袋。
【請求項２】
第二切込部は、第一切込部に対して直角又は略直角になるように形成されている請求項１に記載の包装袋。
【請求項３】
第二切込部は、前記途中位置の両側が内部空間側に向けて傾斜するように形成されている請求項１に記載の包装袋。
【請求項４】
重ね合わされたシート材の端部同士が所定幅で接続されて被収容物を収容する内部空間が形成され、前記シート材の端部同士が接続された接続領域の所定位置に開封起点となる開封補助手段が設けられた包装袋において、前記開封補助手段は、多数の孔で構成された多孔群と、該多孔群内のみに形成されて前記接続領域を貫通する一対の切込みとを備え、前記多孔群は、接続領域の外縁を含む所定範囲内に設けられ、前記一対の切込みは、接続領域の外縁側を基端にして内部空間側へ向かうシート材の切断方向に対して交差する方向に向けて延び、且つ、内部空間側に向かうにつれて互いに接近するように形成されていることを特徴とする包装袋。
【請求項５】
重ね合わされたシート材の端部同士が所定幅で接続されて被収容物を収容する内部空間が形成され、前記シート材の端部同士が接続された接続領域の所定位置に開封起点となる開封補助手段が設けられた包装袋において、前記開封補助手段は、多数の孔で構成された多孔群と、該多孔群内のみに形成されて前記接続領域を貫通する切欠部とを備え、前記多孔群は、接続領域の外縁を含む所定範囲内に設けられ、前記切欠部は、内部空間側に向かうシート材の切断方向に向けて先細りするように形成されていることを特徴とする包装袋。
【発明の詳細な説明】
【技術分野】
【０００１】
本発明は、飲食物や日用品等の被包装物を収容する包装袋に関する。
【背景技術】
【０００２】
従来から、飲食物や日用品等の被収容物を収容する包装袋には、種々タイプのものが提供されており、その一つとして、重ね合わされたシート材（二つ折りにされたシート材或いは積層された二枚のシート材）の端部同士がヒートシール等で接続されることで、シート材間に被収容物を収容する内部空間が形成され、シート材の端部同士を接続した領域（以下、接続領域という）内に開封起点となる開封補助手段が設けられたものが提供されている。
【０００３】
そして、前記開封補助手段には、接続領域（シート材）の外縁上で開放する切目や切欠き等のノッチが一般的に採用されているが、切目や切欠きでノッチを構成すると、当該ノッチの両側（開放端）に角部（尖った部分）が形成され、開封時に手を切る虞があるとして、接続領域を貫通した多数の突き刺し孔からなる多孔群で開封補助手段を構成することが提案されている（例えば、特許文献１参照）。
【０００４】
かかる開封補助手段は、多孔群の形成された領域を引っ張ることで、多孔群（突き刺し孔の間に形成される複数箇所の実体のある部分）が連鎖的に切断されるようになっている。すなわち、前記開封補助手段は、多数の突き刺し孔（多孔群）を設けることで他の部分よりも脆弱な部分（突き刺し孔間の実体のある部分）が断続的に形成されるため、僅かな引っ張り力を作用させるだけでミシン目の如く連鎖的に切断されるようになっている。従って、上記構成の開封補助手段は、従来のノッチのように接続領域の外縁上に角部が形成されないことから開封時に手を切る虞がない上に、開封が容易であるとされている。
【０００５】
しかしながら、上記構成の開封補助手段は、多孔群（多数の突き刺し孔）で構成されているため、開封時の引っ張り力の作用方向によって切断方向（多数の突き刺し孔間が連鎖的に切断する方向）が定まらず、その結果として内部空間を形成するシート材を、被収容物を取り出すのに適した方向に切断できない場合がある。
【０００６】
このような問題に鑑み、開封時の切断方向を矯正できるように構成された包装袋が提案されている（例えば、特許文献２参照）。かかる包装袋の開封補助手段は、多孔群に加え、多孔群に対して内部空間側で隣接した領域内に内部空間側に向けて突出するように形成された切込又は切欠を備えている。
【０００７】
上記構成の開封補助手段は、多孔群の形成された領域を引っ張ることで、多孔群（突き刺し孔間）が連鎖的に切断された上で、引っ張り力が切込又は切欠の突出した部分（切込又は切欠によって形成されるエッジの最も内側に突出した部分）に集中的に作用し、当該部分が切断位置（切断に必要な引っ張り力の作用点）の起点となって切断し始め、その切断位置が内部空間側（反対側の外縁）に向けて連続的に変移してスムーズに切断される（切り裂かれる）ようになっている。
【０００８】
従って、上記構成の開封補助手段は、従来のノッチのように接続領域の外縁上に角部が形成されないことから開封時に手を切る虞がない上に、開封が容易であり、また、切断位置を適正な位置に矯正できるとされている。
【先行技術文献】
【特許文献】
【０００９】
【特許文献１】特開平１０−１１９９８４号公報
【特許文献２】特開２００１−４８１９６号公報
【発明の概要】
【発明が解決しようとする課題】
【００１０】
ところで、上記構成の包装袋（開封補助手段）は、上述の如く、多孔群の形成された領域を僅かな引っ張り力で切断できるが、切込又は切欠から内部空間側（内側）に切断するに当たって多孔群を切断するときよりも大きな引っ張り力が必要となる。すなわち、上記構成の開封補助手段は、多孔群よりも内部空間側の領域に切込又は切欠が形成されているため、開封時の切断位置が多孔群の形成された領域から切込又は切欠に到達したときに、その切断位置が直接切込又は切欠の突出した部分に変移できなくなってしまい、切込又は切欠の突出した部分から切断（切り裂き）を開始するに等しい状態になってしまう。そのため、切断位置が多孔群の形成された領域から該領域よりも剛性の高い切込又は切欠の突出した部分に変移するときに抵抗が生じ、切断に必要な力が大きくなってしまう。
【００１１】
そのため、上記構成の包装袋（開封補助手段）は、開封すべく接続領域を切断するときに大きさの異なる引っ張り力を段階的に作用させなければならず、接続領域から内部空間側に向けてスムーズに切断する（引き裂く）ことができないといった問題がある。
【００１２】
そこで、本発明は、斯かる実情に鑑み、シート材の端部同士を接続した接続領域に開封補助手段を設けることを前提に、容易且つスムーズに開封することのできる包装袋を提供することを課題とする。
【課題を解決するための手段】
【００１３】
本発明に係る包装袋は、重ね合わされたシート材の端部同士が所定幅で接続されて被収容物を収容する内部空間が形成され、前記シート材の端部同士が接続された接続領域の所定位置に開封起点となる開封補助手段が設けられた包装袋において、前記開封補助手段は、多数の孔で構成された多孔群と、該多孔群内のみに形成されて前記接続領域を貫通する切込みとを備え、前記多孔群は、接続領域の外縁を含む所定範囲内に設けられ、前記切込みは、接続領域の外縁側を基端にして内部空間側に向けて延びる第一切込部と、該第一切込部の延びる方向及びシート材の切断方向のそれぞれに対して交差する方向に延びる第二切込部とで構成され、第一切込部が第二切込部の途中位置に接続されていることを特徴とする。
【００１４】
上記構成の包装袋によれば、多数の孔（多孔群）を設けることで孔間（実体のある部分）が他の部分よりも脆弱になるため、開封時に僅かな引っ張り力を作用させるだけで複数箇所にある孔間がミシン目の如く連鎖的に切断される。そして、多孔群（孔間）が連鎖的に切断された上で、切断位置が外縁側にある切込みの何れかの部分（第一切込部の外縁側の端部又は第二切込部）に到達する。すなわち、第二切込部は、切断方向（接続領域の幅方向）に対して交差方向に延びた態様となるため、開封時に外縁の延びる方向で切断位置がずれたとしても、切断位置が第二切込部の何れかに到達することになる。そうすると、引っ張り作用が内部空間側にある第一切込部の先端（一端）に集中的に作用することになる。
【００１５】
そして、上記構成の包装袋は、切込み（第一切込部）が多孔群内にあるため、第一切込部の先端（一端）が多孔群における内部空間側の境界上にあるか第一切込部の先端よりも内部空間側にも多孔群が存在した状態になり、第一切込部の先端に集中的に作用した引っ張り力が小さくても、当該部分が切断位置（切断に必要な引っ張り力の作用点）の起点となって切断し始めることになる。そして、切断位置が内部空間側（反対側の外縁）に向けて連続的に変移してスムーズに切断される（切り裂かれる）。
【００１６】
従って、上記構成の包装袋は、切断方向の全長に亘って大きさの異なる引っ張り力を段階的に作用させることなくスムーズに切断することができる。
【００１７】
この場合、第二切込部は、第一切込部に対して直角又は略直角になるように形成されてもよい。また、第二切込部は、前記途中位置の両側が内部空間側に向けて傾斜するように形成されてもよい。このようにすれば、多孔群の何れの箇所から切断が開始されても切断位置が第二切込部に到達し、開封に伴う引っ張り力を第一切込部の先端に集中的に作用させることができる。
【００１８】
本発明に係る包装袋は、重ね合わされたシート材の端部同士が所定幅で接続されて被収容物を収容する内部空間が形成され、前記シート材の端部同士が接続された接続領域の所定位置に開封起点となる開封補助手段が設けられた包装袋において、前記開封補助手段は、多数の孔で構成された多孔群と、該多孔群内のみに形成されて前記接続領域を貫通する一対の切込みとを備え、前記多孔群は、接続領域の外縁を含む所定範囲内に設けられ、前記一対の切込みは、接続領域の外縁側を基端にして内部空間側へ向かうシート材の切断方向に対して交差する方向に向けて延び、且つ、内部空間側に向かうにつれて互いに接近するように形成されていることを特徴とする。
【００１９】
上記構成の包装袋によれば、多数の孔（多孔群）を設けることで孔間（実体のある部分）が他の部分よりも脆弱になるため、開封時に僅かな引っ張り力を作用させるだけで複数箇所にある孔間がミシン目の如く連鎖的に切断される。そして、多孔群が連鎖的に切断された上で、切断位置が一対の切込み間（一対の切込みが内側で接続されている場合にはその接続位置）又は何れか一方の切込みに到達する。すなわち、一対の切込みは、切断方向（接続領域の幅方向）に対して交差方向に延びた態様となるため、開封時に外縁の延びる方向で切断位置がずれたとしても、切断位置が一対の切込み間又は何れか一方の切込みに到達することになる。そして、切断位置が一対の切込み間にある場合にはそのまま多孔群が内部空間側に連鎖的に切断され、切断位置が何れか一方の切込みに到達した場合には、引っ張り作用が内部空間側にある切込みの先端（一端）に集中的に作用することになる。
【００２０】
そして、上記構成の包装袋は、切込みが多孔群内にあるため、切込みの先端が多孔群における内部空間側の境界（最終ライン）上にあるか切込部の先端よりも内部空間側にも多孔群が存在した状態になり、切込みの先端に集中的に作用した引っ張り力が小さくても、当該部分が切断位置（切断に必要な引っ張り力の作用点）の起点となって切断し始めることになる。そして、切断位置が内部空間側（反対側の外縁）に向けて連続的に変移してスムーズに切断される（切り裂かれる）。
【００２１】
従って、上記構成の包装袋は、切断方向の全長に亘って大きさの異なる引っ張り力を段階的に作用させることなくスムーズに切断することができる。
【００２２】
本発明に係る包装袋は、重ね合わされたシート材の端部同士が所定幅で接続されて被収容物を収容する内部空間が形成され、前記シート材の端部同士が接続された接続領域の所定位置に開封起点となる開封補助手段が設けられた包装袋において、前記開封補助手段は、多数の孔で構成された多孔群と、該多孔群内のみに形成されて前記接続領域を貫通する切欠部とを備え、前記多孔群は、接続領域の外縁を含む所定範囲内に設けられ、前記切欠部は、内部空間側に向かうシート材の切断方向に向けて先細りするように形成されていることを特徴とする。
【００２３】
上記構成の包装袋によれば、多数の孔（多孔群）を設けることで孔間（実体のある部分）が他の部分よりも脆弱になるため、開封時に僅かな引っ張り力を作用させるだけで複数箇所にある孔間がミシン目の如く連鎖的に切断される。そして、多孔群が連鎖的に切断された上で、切断位置が切欠部の外縁側にある何れかの部分に到達する。すなわち、切欠部は、内部空間側に向けて先細りするように形成されることで、外縁側のエッジが切断方向（接続領域の幅方向）に対して交差方向に延びた態様となるため、開封時に外縁の延びる方向で切断位置がずれたとしても、切断位置が切欠部の何れかの部分に到達することになる。そうすると、引っ張り作用が内部空間側にある切欠部の先端（又は頂点）に集中的に作用することになる。そして、上記構成の包装袋は、切欠部が多孔群内にあるため、切欠部の先端（又は頂点）が多孔群における内部空間側の境界上にあるか切欠部の頂点よりも内部空間側にも多孔群が存在した状態になり、切欠部の先端（又は頂点）に集中的に作用した引っ張り力が小さくても、当該部分が切断位置（切断に必要な引っ張り力の作用点）の起点となって切断し始めることになる。そして、切断位置が内部空間側（反対側の外縁）に向けて連続的に変移してスムーズに切断される（切り裂かれる）。
【００２４】
従って、上記構成の包装袋は、切断方向の全長に亘って大きさの異なる引っ張り力を段階的に作用させることなくスムーズに切断することができる。
【発明の効果】
【００２５】
以上のように、本発明の包装袋によれば、シート材の端部同士を接続した接続領域に開封補助手段を設けることを前提に、容易且つスムーズに開封することができるという優れた効果を奏し得る。
【図面の簡単な説明】
【００２６】
【図１】本発明の第一実施形態に係る包装袋の説明図であって、（ａ）は、正面図を示し、（ｂ）は、（ａ）のＩ−Ｉ断面図を示す。
【図２】第一実施形態に係る包装袋の全体斜視図を示す。
【図３】第一実施形態に係る包装袋の多孔群の部分拡大図を含む開封補助手段の部分拡大図であって、図１（ａ）のＡ部拡大図を示す。
【図４】本発明の第二実施形態に係る包装袋の部分拡大図であって、多孔群の部分拡大図を含む開封補助手段の部分拡大図を示す。
【図５】本発明の第三実施形態に係る包装袋の部分拡大図であって、多孔群の部分拡大図を含む開封補助手段の部分拡大図を示す。
【図６】本発明の他実施形態に係る包装袋の部分拡大図であって、（ａ）は、屈曲形状（くの字状）に形成された第二切込部の頂点に第一切込部の一端が接続された切込みを備えた開封補助手段の拡大図を示し、（ｂ）は、屈曲形状（くの字状）に形成された第二切込部の頂点が第一切込部の途中位置に接続された切込みを備えた開封補助手段の拡大図を示す。
【図７】本発明の別の実施形態に係る包装袋の部分拡大図であって、一対の切込みの内部空間側の一端が非接続状態にされた開封補助手段の拡大図を示す。
【図８】本発明のさらに別の実施形態に係る包装袋の部分拡大図であって、（ａ）は、四角形状（ひし形形状）の切欠部を備えた開封補助手段の拡大図を示し、（ｂ）は、五角形状（ホームベース状）の切欠部を備えた開封補助手段の拡大図を示す。
【図９】本発明のさらに別の実施形態に係る包装袋の部分拡大図であって、（ａ）は、多孔群が三角形状の領域に形成され、第二切込部が多孔群の境界に沿って屈曲形状に形成された切込みを備えた開封補助手段の拡大図を示し、（ｂ）は、多孔群が三角形状の領域に形成され、切欠部が多孔群の境界に沿って三角形状に形成された開封補助手段の拡大図を示す。
【発明を実施するための形態】
【００２７】
以下、本発明の第一実施形態に係る包装袋について、添付図面を参照しつつ説明する。
【００２８】
本実施形態に係る包装袋は、図１（ａ）及び図１（ｂ）に示す如く、重ね合わされたシート材Ｓ１，Ｓ１の端部同士が所定幅で接続されて被収容物Ｐを収容する内部空間ＳＰが形成され、前記シート材Ｓ１，Ｓ１の端部同士が所定幅で接続された接続領域２ｂの所定位置に開封起点となる開封補助手段４が形成されている。なお、本明細書に添付した各図面において、接続領域２ｂの内部空間ＳＰ側の境界は、二点鎖線で表現されている。
【００２９】
より具体的に説明すると、本実施形態に係る包装袋１は、スタンディングタイプの包装袋１であり、前後で互いに対向するとともに幅方向の両端が互いに接続された一対の壁部２ａ，２ａと、一対の壁部２ａ，２ａが画定する一方の開口を閉じるガゼット状の底部３とを備えている。該包装袋１は、一対の壁部２ａ，２ａが画定する他方の開口から被収容物Ｐを収容した上で該他方の開口が封止されている。
【００３０】
前後一対の壁部２ａ，２ａは、それぞれシート材で構成されており、正面視四角形状に形成されている。本実施形態において、前後一対の壁部２ａ，２ａは、それぞれ長方形状のシート材（以下、壁用シート材という）Ｓ１，Ｓ１の周囲（外周端部）を除いた領域（略長方形状の領域）で形成されている。すなわち、一対の壁用シート材Ｓ１，Ｓ１は、長手方向を一致させた状態で重ね合わされた上で長手方向と直交する方向（以下、幅方向という）の両端部同士が所定幅で接続されている。
【００３１】
これにより、一対の壁用シート材Ｓ１，Ｓ１は、幅方向の両端部で互いに接続された接続領域２ｂを形成し、該接続領域２ｂ間で前記壁部２ａ，２ａを形成している。一対の壁用シート材Ｓ１，Ｓ１同士の接続は、接着剤を用いた接着や、壁用シート材Ｓ１，Ｓ１同士の溶着で行うことができ、本実施形態においては、溶着（ヒートシール）により行われている。これに伴い、本実施形態に係る壁用シート材Ｓ１，Ｓ１は、少なくとも互いに対向する面であって幅方向の両端部が溶融可能になっている。すなわち、壁用シート材Ｓ１，Ｓ１は、所定温度で溶融可能な単層の樹脂シート材や、少なくとも最内層に溶融可能な樹脂層を有する二層以上の樹脂シート材（積層シート）を採用することができる。
【００３２】
本実施形態の包装袋１は、飲料やだし汁等の液状の食品を収容することを対象としており、これらの食品の酸化を防止するために、壁用シート材Ｓ１，Ｓ１には、ガスバリア性を有するシート材が採用される。本実施形態に係る壁用シート材Ｓ１，Ｓ１は、特性の異なる複数の層で構成された積層シートが採用されている。具体的には、本実施形態に係る壁用シート材Ｓ１，Ｓ１は、最内層に熱溶融性（接着性）を有する樹脂製のシール層（図示しない）を有し、該シール層上に薄膜状の金属層（図示しない）、及び樹脂製のコーティング層（図示しない）が形成されている。
【００３３】
本実施形態に係る壁用シート材Ｓ１，Ｓ１（積層シート）において、コーティング層は、基材となるもので、二軸延伸ポリプロピレンフィルム、二軸延伸ポリエチレンテレフタレートフィルム、二軸延伸ナイロンフィルム等の二軸延伸フィルムを採用することができる。また、金属層は、上記コーティング層（基材）にアルミニウム等の金属を蒸着することで形成される。シール層は、低密度ポリエチレン、中密度ポリエチレン、綿状低密度ポリエチレン等の樹脂、又はそれらのシート材で構成され、金属層上に塗布又は貼り付けられて形成される。従って、本実施形態に係る壁用シート材Ｓ１，Ｓ１は、端部同士をヒートシールすべく、互いのシール層を対向させた状態で重ね合わされている。
【００３４】
前記底部３は、シート材で構成されている。前記底部３を構成するシート材（以下、底用シート材という）Ｓ２は、四角形状に形成されており、一方向が壁用シート材Ｓ１，Ｓ１の幅と同寸に設定される一方で、一方向と直交する方向が一方向より短く設定されている。そして、底用シート材Ｓ２は、一方向と直交する方向で二つ折り（半折）にされ、稜線（二つ折りによって形成される稜線）を奥側に位置させるようにして一対の壁用シート材Ｓ１，Ｓ１の長手方向の一端部間に介装されている。そして、二つ折りにされた底用シートＳ２は、稜線を境にした二つの領域のそれぞれが対向する壁用シート材Ｓ１，Ｓ１の端部（長手方向の一端部及び幅方向の両端部）に接続されている。また、本実施形態に係る底用シート材Ｓ２は、稜線を境にした二つの領域のそれぞれの長手方向の（前記一方向）の両端部同士も接続されている。
【００３５】
これにより、前記底用シート材Ｓ２は、図１（ｂ）に示す如く、一対の壁部２ａ，２ａ（壁用シート材Ｓ１，Ｓ１）が画定する一方の開口を閉塞したガゼット状の底部３を形成している。すなわち、本実施形態に係る包装袋１は、図１（ｂ）及び図２に示す如く、内部空間ＳＰに被収容物Ｐを収容した状態で、二つ折りにされた底部３（底用シート材Ｓ２）が開いて一対の壁部２ａ，２ａ（壁用シート材Ｓ１，Ｓ１）の一端側が離間し（環状になり）、該一端側を下側にすることで自立できるようになっている。
【００３６】
底用シート材Ｓ２と壁用シート材Ｓ１，Ｓ１との接続についても、接着剤を用いた接着や、壁用シート材Ｓ１，Ｓ１同士の溶着で行うことができ、本実施形態においては、溶着（ヒートシール）により行われている。これに伴い、本実施形態に係る底用シート材Ｓ２は、少なくとも二つ折りにしたときに外側に向く面であって長手方向の両端部及び長手方向と直交する方向の両端部が溶融可能になっている。すなわち、底用シート材Ｓ２についても、所定温度で溶融可能な単層の樹脂シート材や、少なくとも一方の面（外側に向く面）側になる最内層に溶融可能な樹脂層を有する二層以上の複層の樹脂シート材を採用することができる。本実施形態に係る底用シート材Ｓ２は、壁用シート材Ｓ１，Ｓ１と同一材料が採用されている。
【００３７】
そして、本実施形態に係る包装袋１は、図１（ａ）、図１（ｂ）及び図２に示す如く、一対の壁部２ａ，２ａ（壁用シート材Ｓ１，Ｓ１）が形成する長手方向の他端側の開口から内部空間ＳＰに被収容物Ｐが収容された上で、該一対の壁部２ａ，２ａ（壁用シート材Ｓ１，Ｓ１）の他端部同士がヒートシールされて封止されている。
【００３８】
本実施形態に係る包装袋１は、封止される壁部２ａ，２ａの他端部よりも一端側でその他端部に沿って壁部２ａ，２ａを切断できるようになっている。これに伴い、該包装袋１は、前記接続領域２ｂ内における壁部２ａ，２ａの他端部よりも一端側の所定位置に開封補助手段４が設けられている。本実施形態に係る包装袋１は、幅方向の両端部に接続領域２ｂが形成されているため、何れからでも開封できるように各接続領域２ｂに開封補助手段４が設けられている。これに伴い、開封補助手段４は、幅方向の中央で長手方向に延びる中心線を基準に対称配置になるように各接続領域２ｂに設けられている。
【００３９】
本実施形態に係る開封補助手段４は、図３に示す如く、多数の孔ｈ…で構成された多孔群４０と、該多孔群４０内に形成された切込み４１とを備えている。
【００４０】
前記多孔群４０は、接続領域２ｂの外縁を含む所定範囲内に設けられる。すなわち、多孔群４０は、接続領域２ｂの外縁から接続領域２ｂと壁部２ａ，２ａ（内部空間ＳＰ）との境界に至らない範囲で形成されている。本実施形態に係る多孔群４０は、接続領域２ｂの外縁を一辺とする矩形状の領域内に設けられている。
【００４１】
多孔群４０を構成する孔ｈ…のそれぞれは、接続領域２ｂを貫通している。そして、各孔ｈ…は、貫通していればよく、その孔形状は、点状（微小径な円形状）、切り目状（線状）、円形状、多角形状等、種々の形状に設定してもよい。本実施形態において、多孔群４０を構成する各孔ｈ…は、点状（微小径な円形状）に形成されている。そして、多孔群４０を構成する多数の孔ｈ…は、孔サイズに応じて所定領域内にできるだけ密集するように配置される。
【００４２】
本実施形態に係る多孔群４０は、点状の孔ｈ…の集合体で構成されており、各孔ｈ…は整列状態で配置されている。なお、多数の孔ｈ…は、マトリックス状或いは千鳥状に配置したりしてもよいが、規則性なく配置してもよい。そして、本実施形態に係る多孔群４０は、点状の孔ｈ…の集合体で構成されているため、各孔ｈ…は針状の刃物を接続領域２ｂに刺通させることで形成されている。
【００４３】
前記切込み４１は、接続領域２ｂの外縁側を基端にして内部空間ＳＰ側に向けて延びる第一切込部４１ａと、該第一切込部４１ａの延びる方向に対して交差する方向に延びる第二切込部４１ｂとで構成されている。
【００４４】
第一切込部４１ａは、第二切込部４１ｂの途中位置に繋がっている。より具体的に説明すると、第一切込部４１ａは、多孔群４０が形成された領域における接続領域２ｂの外縁の延びる方向（壁用シート材Ｓ１，Ｓ１の長手方向）の中央部に設けられている。本実施形態に係る第一切込部４１ａは、直線状に形成されており、多孔群４０が形成された領域における内部空間ＳＰ側の境界及び多孔群４０が形成された領域における接続領域２ｂの外縁側の境界（接続領域２ｂの外縁）に到達しないように形成されている。すなわち、第一切込部４１ａは、内部空間ＳＰ側の一端が多孔群４０の形成された領域における内部空間ＳＰ側の境界よりも接続領域２ｂの外縁側に位置し、接続領域２ｂの外縁側の他端が多孔群４０の形成された領域における接続領域２ｂの外縁側の境界（接続領域２ｂの外縁）よりも内部空間ＳＰ側に位置している。
【００４５】
第二切込部４１ｂは、多孔群４０が形成された領域における壁部２ａ，２ａの長手方向の一端側の境界及び多孔群４０が形成された領域における壁部２ａ，２ａの長手方向の他端側の境界との間に形成されている。本実施形態に係る第二切込部４１ｂは、一端が多孔群４０の形成された領域における壁部２ａ，２ａの長手方向の一端側の境界よりも接続領域２ｂの内側に位置し、他端が多孔群４０の形成された領域における壁部２ａ，２ａの長手方向の他端側の境界よりも接続領域２ｂの内側に位置している。本実施形態に係る第二切込部４１ｂは、直線状に形成されており、第一切込部４１ａに対して直角又は略直角になるように形成されている。そして、本実施形態において、第二切込部４１ｂは、直線状に延びる方向の中央位置に第一切込部４１ａの他端（接続領域２ｂの外縁側の端部）が接続されている。これにより、本実施形態に係る切込み４１は、Ｔ字状に形成されている。
【００４６】
本実施形態に係る包装袋１は、以上の構成からなり、続いて、上記構成の包装袋１の開封時における開封補助手段４の作用について説明する。
【００４７】
上記構成の包装袋１を開封するに当たり、幅方向の何れか一端側にある接続領域２ｂ内の開封補助手段４（多孔群４０）の両側（二箇所）を把持し、異なる方向に引っ張る。そうすると、多孔群４０がミシン目の如く連鎖的に切断する。すなわち、上記構成の包装袋１は、多数の孔ｈ…（多孔群４０）を設けることで孔ｈ…間（実体のある部分）が他の部分よりも脆弱になるため、開封時に僅かな引っ張り力を作用させるだけで複数箇所にある孔ｈ…間がミシン目の如く連鎖的に切断される。そして、多孔群４０（孔ｈ…間）が連鎖的に切断された上で、切断位置が接続領域２ｂの外縁側にある切込み４１の何れかの部分（第一切込部４１ａの外縁側の端部又は第二切込部４１ｂ）に到達する。
【００４８】
すなわち、第二切込部４１ｂは、切断方向（接続領域２ｂの幅方向）に対して交差方向（本実施形態においては直角方向）に延びた態様となるため、開封時に切断位置が接続領域２ｂの外縁の延びる方向にずれたとしても、切断位置が第二切込部４１ｂの何れかの部分に到達することになる。そうすると、引っ張り作用が内部空間ＳＰ側にある第一切込部４１ａの先端に集中的に作用することになる。
【００４９】
そして、本実施形態に係る包装袋１は、切込み４１（第一切込部４１ａ）が多孔群４０内にあるため、第一切込部４１ａの先端よりも内部空間ＳＰ側にも多孔群４０が存在し、第一切込部４１ａの先端に集中的に作用した引っ張り力が小さくても、当該部分が切断位置の起点（切断に必要な引っ張り力の作用点）となって切断し始めることになる。そして、切断位置が内部空間ＳＰ側（反対側の外縁）に向けて連続的に変移してスムーズに切断される（切り裂かれる）。
【００５０】
従って、上記構成の包装袋１は、切断方向の全長に亘って大きさの異なる引っ張り力を段階的に作用させることなく幅方向全長に亘って容易且つスムーズに切断することができる。
【００５１】
次に、本発明の第二実施形態に係る包装袋について説明する。なお、本実施形態に係る包装袋は、開封補助手段を除き、他の構成が第一実施形態に係る包装袋と同一構成になっている。従って、以下の説明において、第一実施形態と同一の構成又は相当する構成について同一名称及び同一符号を付すこととし、また、同一の構成については、第一実施形態を参照してここでの説明を割愛し、開封補助手段についてのみ説明することとする。
【００５２】
本実施形態に係る開封補助手段４は、図４に示す如く、多数の孔ｈ…で構成された多孔群４０と、該多孔群４０内に形成された一対の切込み４２，４２とを備えている。
【００５３】
前記多孔群４０は、第一実施形態と同様に接続領域２ｂの外縁を含む所定範囲内に設けられる。すなわち、多孔群４０は、接続領域２ｂの外縁から接続領域２ｂと壁部２ａ，２ａ（内部空間ＳＰ）との境界に至らない範囲で形成されている。本実施形態に係る多孔群４０は、接続領域２ｂの外縁を一辺とする矩形状の領域内に設けられている。
【００５４】
多孔群４０を構成する孔ｈ…のそれぞれは、接続領域２ｂを貫通している。そして、各孔ｈ…は、貫通していればよく、その孔形状は、点状（微小径な円形状）、切り目状（線状）、円形状、多角形状等、種々の形状に設定してもよい。本実施形態において、多孔群４０を構成する各孔ｈ…は、点状（微小径な円形状）に形成されている。そして、多孔群４０を構成する多数の孔ｈ…は、孔サイズに応じて所定領域内にできるだけ密集するように配置される。
【００５５】
本実施形態に係る多孔群４０は、点状の孔ｈ…の集合体で構成されており、各孔ｈ…は整列状態で配置されている。なお、多数の孔ｈ…は、マトリックス状或いは千鳥状に配置したりしてもよいが、規則性なく配置してもよい。そして、本実施形態に係る多孔群４０は、点状の孔ｈ…の集合体で構成されているため、各孔ｈ…は針状の刃物を接続領域２ｂに刺通させることで形成されている。
【００５６】
前記一対の切込み４２，４２は、接続領域２ｂの外縁側を基端にして内部空間ＳＰに向けて延び、且つ、内部空間ＳＰ側に向かうにつれて互いに接近するように形成されている。一対の切込み４２，４２は、多孔群４０が形成された領域における接続領域２ｂの外縁の延びる方向（壁用シート材Ｓ１，Ｓ１の長手方向）の中央部で該接続領域２ｂの外縁の延びる方向と直交する方向に延びる中心線（仮想線）を基準に対称的に配置されている。
【００５７】
各切込み４２は、前記中心線を境にした二つの領域内に位置あり、それぞれ直線状に形成されている。各切込み４２は、多孔群４０が形成された領域における内部空間ＳＰ側の境界及び多孔群４０が形成された領域における接続領域２ｂの外縁側の境界（接続領域２ｂの外縁）に到達しないように形成されている。すなわち、各切込み４２は、内部空間ＳＰ側の一端が多孔群４０の形成された領域における内部空間ＳＰ側の境界よりも接続領域２ｂの外縁側に位置し、接続領域２ｂの外縁側の他端が多孔群４０の形成された領域における接続領域２ｂの外縁側の境界（接続領域２ｂの外縁）よりも内部空間ＳＰ側に位置している。
【００５８】
そして、本実施形態において、一対の切込み４２，４２は、内部空間ＳＰ側の一端同士が接続された状態になっている。すなわち、一対の切込み４２，４２は、多孔群４０が形成された領域における接続領域２ｂの外縁の延びる方向（壁用シート材Ｓ１，Ｓ１の長手方向）の中央部で互いに接続されて「くの字」を呈している。
【００５９】
本実施形態に係る包装袋１は、以上の通りであり、続いて、上記構成の包装袋１の開封時における開封補助手段４の作用について説明する。
【００６０】
上記構成の包装袋１を開封するに当たり、幅方向の何れか一端側にある接続領域２ｂ内の開封補助手段４（多孔群４０）の両側（二箇所）を把持し、異なる方向に引っ張る。そうすると、多孔群４０がミシン目の如く連鎖的に切断する。すなわち、上記構成の包装袋１は、多数の孔ｈ…（多孔群４０）を設けることで孔ｈ…間（実体のある部分）が他の部分よりも脆弱になるため、開封時に僅かな引っ張り力を作用させるだけで複数箇所にある孔ｈ…間がミシン目の如く連鎖的に切断される。そして、多孔群４０が連鎖的に切断された上で、切断位置が一対の切込み４２，４２の接続位置又は何れか一方の切込み４２に到達する。
【００６１】
すなわち、一対の切込み４２，４２は、切断方向（接続領域２ｂの幅方向）に対して交差方向に延びた態様となるため、開封時に切断位置が接続領域２ｂの外縁の延びる方向でずれたとしても、切断位置が一対の切込み４２，４２の接続位置（一端）又は何れか一方の切込み４２に到達することになる。そして、切断位置が一対の切込み４２，４２の接続位置にある場合にはそのまま多孔群４０が内部空間ＳＰ側に連鎖的に切断され、切断位置が何れか一方の切込み４２に到達した場合には、引っ張り作用が最も内側にある切込み４２の先端（切込み４２の一端同士を接続した接続位置）に集中的に作用することになる。
【００６２】
そして、上記構成の包装袋１は、切込み４２が多孔群４０内にあるため、切込み４２の先端よりも内部空間ＳＰ側にも多孔群４０が存在し、切込み４２の先端に集中的に作用した引っ張り力が小さくても、当該部分が切断位置の起点（切断に必要な引っ張り力の作用点）となって切断し始めることになる。そして、切断位置が内部空間ＳＰ側（反対側の外縁）に向けて連続的に変移してスムーズに切断される（切り裂かれる）。
【００６３】
従って、上記構成の包装袋１は、切断方向の全長に亘って大きさの異なる引っ張り力を段階的に作用させることなく幅方向全長に亘って容易且つスムーズに切断することができる。
【００６４】
次に、本発明の第三実施形態に係る包装袋について説明する。なお、本実施形態に係る包装袋は、開封補助手段を除き、他の構成が第一及び第二実施形態に係る包装袋と同一構成になっている。従って、以下の説明において、第一及び第二実施形態と同一の構成又は相当する構成について同一名称及び同一符号を付すこととし、また、同一の構成については、第一実施形態を参照してここでの説明を割愛し、開封補助手段についてのみ説明することとする。
【００６５】
本実施形態に係る開封補助手段４は、図５に示す如く、多数の孔ｈ…で構成された多孔群４０と、該多孔群４０内に形成された切欠部４３とを備えている。
【００６６】
前記多孔群４０は、第一実施形態と同様に接続領域２ｂの外縁を含む所定範囲内に設けられる。すなわち、多孔群４０は、接続領域２ｂの外縁から接続領域２ｂと壁部２ａ，２ａ（内部空間ＳＰ）との境界に至らない範囲で形成されている。本実施形態に係る多孔群４０は、接続領域２ｂの外縁を一辺とする矩形状の領域内に設けられている。
【００６７】
多孔群４０を構成する孔ｈ…のそれぞれは、接続領域２ｂを貫通している。そして、各孔ｈ…は、貫通していればよく、その孔形状は、点状（微小径な円形状）、切り目状（線状）、円形状、多角形状等、種々の形状に設定してもよい。本実施形態において、多孔群４０を構成する各孔ｈ…は、点状（微小径な円形状）に形成されている。そして、多孔群４０を構成する多数の孔ｈ…は、孔サイズに応じて所定領域内にできるだけ密集するように配置される。
【００６８】
本実施形態に係る多孔群４０は、点状の孔ｈ…の集合体で構成されており、各孔ｈ…は整列状態で配置されている。なお、多数の孔ｈ…は、マトリックス状或いは千鳥状に配置したりしてもよいが、規則性なく配置してもよい。そして、本実施形態に係る多孔群４０は、点状の孔ｈ…の集合体で構成されているため、各孔ｈ…は針状の刃物を接続領域２ｂに刺通させることで形成されている。
【００６９】
前記切欠部４３は、内部空間ＳＰ側に向けて先細りするように形成されている。本実施形態において、前記切欠部４３は、三角形状に形成されており、その一辺を接続領域２ｂの外縁側に位置させ、その一辺に対する垂線上にある一つの頂点を内部空間ＳＰ側に位置させている。より具体的に説明すると、切欠部４３は、多孔群４０が形成された領域における接続領域２ｂの外縁の延びる方向（壁用シート材Ｓ１，Ｓ１の長手方向）の中央部に前記頂点が位置している。
【００７０】
本実施形態に係る切欠部４３は、多孔群４０が形成された領域における内部空間ＳＰ側の境界及び多孔群４０が形成された領域における接続領域２ｂの外縁側の境界（接続領域２ｂの外縁）に到達しないように形成されている。すなわち、切欠部４３は、前記頂点が多孔群４０の形成された領域における内部空間ＳＰ側の境界よりも接続領域２ｂの外縁側に位置し、接続領域２ｂの外縁側のエッジ（前記一辺）が多孔群４０の形成された領域における接続領域２ｂの外縁側の境界（接続領域２ｂの外縁）よりも内部空間ＳＰ側に位置している。
【００７１】
切欠部４３は、多孔群４０が形成された領域における壁部２ａ，２ａの長手方向の一端側の境界及び多孔群４０が形成された領域における壁部２ａ，２ａの長手方向の他端側の境界との間に形成されている。本実施形態に係る切欠部４３は、前記一辺の一端が多孔群４０の形成された領域における壁部２ａ，２ａの長手方向の一端側の境界よりも接続領域２ｂの内側に位置し、前記一辺の他端が多孔群４０の形成された領域における壁部２ａ，２ａの長手方向の他端側の境界よりも接続領域２ｂの内側に位置している。
【００７２】
本実施形態に係る包装袋１は、以上の通りであり、続いて、上記構成の包装袋１の開封時における開封補助手段４の作用について説明する。
【００７３】
上記構成の包装袋１を開封するに当たり、幅方向の何れか一端側にある接続領域２ｂ内の開封補助手段４（多孔群４０）の両側（二箇所）を把持し、異なる方向に引っ張る。そうすると、多孔群４０がミシン目の如く連鎖的に切断する。すなわち、上記構成の包装袋１は、多数の孔ｈ…（多孔群４０）を設けることで孔ｈ…間（実体のある部分）が他の部分よりも脆弱になるため、開封時に僅かな引っ張り力を作用させるだけで複数箇所にある孔ｈ…間がミシン目の如く連鎖的に切断される。そして、多孔群４０が連鎖的に切断された上で、切断位置が切欠部４３の外縁側にある何れかの部分に到達する。すなわち、切欠部４３は、内部空間ＳＰ側に向けて先細りするように三角形状に形成されることで、接続領域２ｂの外縁側のエッジが切断方向（接続領域２ｂの幅方向）に対して交差方向に延びた態様となるため、開封時に切断位置が接続領域２ｂの外縁の延びる方向でずれたとしても、切断位置が切欠部４３の何れかの部分に到達することになる。
【００７４】
そうすると、引っ張り作用が内部空間ＳＰ側にある切欠部４３の頂点に集中的に作用することになる。そして、上記構成の包装袋１は、切欠部４３が多孔群４０内にあるため、切欠部４３の頂点よりも内部空間ＳＰ側にも多孔群４０が存在し、切欠部４３の頂点に集中的に作用した引っ張り力が小さくても、当該部分が切断位置（切断に必要な引っ張り力の作用点）の起点となって切断し始めることになる。そして、切断位置が内部空間ＳＰ側（反対側の外縁）に向けて連続的に変移してスムーズに切断される（切り裂かれる）。
【００７５】
従って、上記構成の包装袋１は、切断方向の全長に亘って大きさの異なる引っ張り力を段階的に作用させることなくスムーズに切断することができる。
【００７６】
なお、本発明は、上記何れの実施形態にも限定されるものではなく、本発明の要旨を逸脱しない範囲で適宜変更を加え得ることは勿論のことである。
【００７７】
上記各実施形態において、幅方向の両端部にある各接続領域２ｂに開封補助手段４を設けたが、これに限定されるものではなく、例えば、幅方向の一方の端部にある接続領域２ｂにのみ開封補助手段４を設けるようにしてもよい。
【００７８】
上記各実施形態において、底部３を備えた包装袋１を前提に説明したが、本発明が対象とする包装袋１は、これに限定されるものではなく、重ね合わされた壁用シート材Ｓ１，Ｓ１の一端部同士が直接接続されて底を構成した包装袋１であっても勿論よい。
【００７９】
上記各実施形態において、二枚の壁用シート材Ｓ１，Ｓ１を重ね合わせて互いの幅方向の両端部同士を接続した包装袋１について説明したが、本発明が対象とする包装袋は、これに限定されるものではなく、例えば、一枚のシート材Ｓ１を二つ折りにして対向する端部同士を接続することで被収容物Ｐを収容する内部空間ＳＰが形成された包装袋１であっても勿論よい。
【００８０】
上記各実施形態において、被収容物Ｐとして飲料や出し汁等の液状の食品を対象としたが、これに限定されるものではなく、固形状の食品であってもよいし、食品以外の日用品等であってもよい。また、上記各実施形態において、飲料等の液状の食品の酸化を防止すべくガスバリア性を有する積層シートで壁部２ａ，２ａ（壁用シート材Ｓ１，Ｓ１）を構成したが、これに限定されるものではなく、シート材Ｓ１，Ｓ１は収容する被収容物Ｐの特性等に応じて適宜選択すればよい。
【００８１】
上記各実施形態において、壁用シート材Ｓ１，Ｓ１の端部同士をヒートシールすることで接続したが、シート材Ｓ１，Ｓ１の接続はこれに限定されるものではなく、接着剤を用いて接続してもよい。但し、互いに接続される領域（接続領域２ｂ）が所定幅（開封補助手段４を配置できる幅）を有する接続形態であることは言うまでもない。
【００８２】
上記各実施形態において、開封を補助する手段として前記開封補助手段４のみを設けたが、これに限定されるものではなく、例えば、壁部２ａ，２ａ（壁用シート材Ｓ１，Ｓ１）にハーフカット等の切断補助線を幅方向に延びるように形成してもよい。この場合、開封補助手段４の切込み４１，４２や切欠部４３で開封時の切断位置を切断補助線の配置に対応した位置に矯正できるようにすればよい。すなわち、第一実施形態に係る開封補助手段４を採用する場合には、第一切込部４１ａの一端を切断補助線に対応させた配置し、第二実施形態に係る開封補助手段４を採用する場合には、切込み４２の一端を切断補助線に対応させた配置し、第三実施形態に係る開封補助手段４を採用する場合には、切欠部４３の頂点を切断補助線に対応させた配置すればよい。
【００８３】
上記第一実施形態において、第二切込部４１ｂを直線状にして第一切込部４１ａに対して直角又は略直角になるように形成したが、これに限定されるものではなく、例えば、図６（ａ）及び図６（ｂ）に示す如く、第二切込部４１ｂは、前記途中位置の両側が内部空間ＳＰ側に向けて傾斜するように形成してもよい。すなわち、第二切込部４１ｂは、屈曲形状（くの字状）に形成してもよい。そして、上記実施形態において、第一切込部４１ａの他端に第二切込部４１ｂを接続したが、これに限定されるものではなく、例えば、図６（ａ）に示す如く、第一切込部４１ａの一端に第二切込部４１ｂを接続したり、図６（ｂ）に示す如く、第一切込部４１ａの途中位置に第二切込部４１ｂを接続したりしてもよい。この場合、屈曲形状にされることによって形成される第二切込部４１ｂの頂点に第一切込部４１ａが接続されることが好ましい。
【００８４】
上記第一実施形態において、第二切込部４１ｂを多孔群４０が形成される領域の境界間で延びるように形成し、その両端が各境界付近に位置させるようにしたが、これに限定されるものではなく、第二切込部４１ｂの長さは必要に応じて適宜設定すればよい。但し、第二切込部４１ｂが多孔群４０内に位置することは勿論のことである。また、切込み４１（第一切込部４１ａ及び第二切込部４１ｂ）は、多孔群４０を越えなければ、多孔群４０の境界上に位置してもよい。
【００８５】
上記第一実施形態において、第一切込部４１ａ及び第二切込部４１ｂのそれぞれを直線状に形成したが、これに限定されるものではなく、例えば、第一切込部４１ａ及び第二切込部４１ｂの少なくとも何れか一方を波線状に形成したり、円弧状の曲線に形成したりしてもよい。
【００８６】
上記第二実施形態において、一対の切込み４２，４２の一端同士を接続したが、これに限定されるものではなく、例えば、図７に示す如く、一対の切込み４２，４２の一端同士を非接続状態にしてもよい。但し、切断位置を適正な位置に矯正するには、一対の切込み４２，４２の一端をできるだけ接近させることが好ましい。
【００８７】
また、上記第二実施形態において、一対の切込み４２，４２のそれぞれを対称的なものにしたが、これに限定されるものではなく、それぞれが非対称な配置であってもよい。また、一対の切込み４２，４２を直線状に形成したが、これに限定されるものではなく、例えば、各切込み４２を波線状に形成されたり円弧状の曲線に形成したりしてもよい。
【００８８】
上記第三実施形態において、切欠部４３を三角形状に形成したが、これに限定されるものではなく、例えば、図８（ａ）に示す如く、切欠部４３を四角形状に形成したり、図８（ｂ）に示す如く、切欠部４３を五角形状（ホームベース状）に形成したりしてもよい。すなわち、切欠部４３を三角形以上の多角形状に形成してもよい、この場合、多角形状の外周に形成される何れか一つの頂点を内部空間ＳＰ側に位置するように配置すればよい。また、切欠部４３は、多角形状に限定されるものではなく、例えば、少なくとも内部空間ＳＰ側が円弧状をなす孔であってもよい。すなわち、切欠部４３は、内部空間ＳＰに向かうにつれて開口幅が狭まる形態であればよい。
【００８９】
上記各実施形態において、多孔群４０を矩形状の領域内に配置したが、これに限定されるものではなく、例えば、図９（ａ）及び図９（ｂ）に示す如く、多孔群４０を三角形状の領域内に配置してもよい。この場合、多孔群４０は、三角形状の領域の外周を構成する一辺が接続領域２ｂの外縁上に位置するように配置すればよい。そして、この場合、図９（ａ）に示す如く、第一実施形態で説明した切込み４１（第一切込部４１ａ及び第二切込部４１ｂを備えた切込み４１）を採用する場合、内部空間ＳＰ側に先狭まりする多孔群４０の形成領域の内部空間ＳＰ側のエッジに第二切込部４１ｂを沿わせるように形成してもよい。また、第二実施形態で説明した一対の切込み４２を採用する場合も同様である。そして、図９（ｂ）に示す如く、第三実施形態で説明した切欠部４３（多角形状の切欠部４３）を採用する場合、内部空間ＳＰ側に先狭まりする多孔群４０の形成領域の内部空間ＳＰ側のエッジに沿うように切欠部４３を形成してもよい。
【符号の説明】
【００９０】
１…包装袋、２ａ…壁部、３…底部、４…開封補助手段、４０…多孔群、４１ａ…第一切込部、４１ｂ…第二切込部、４２…切込み、４３…切欠部、２ｂ…接続領域、Ｐ…被収容物、Ｓ１…壁用シート材（シート材）、Ｓ２…底用シート材
【図１】
0005753722.tif 000002
【図２】
0005753722.tif 000003
【図３】
0005753722.tif 000004
【図４】
0005753722.tif 000005
【図５】
0005753722.tif 000006
【図６】
0005753722.tif 000007
【図７】
0005753722.tif 000008
【図８】
0005753722.tif 000009
【図９】
0005753722.tif 000010